(57)【特許請求の範囲】
【請求項１】
紙葉類の綴じ穴に綴じ足を挿通して紙葉類を綴じる綴じ具に於いて、上下壁を具えた筐体、前記上下壁に回転可能に連結された断面が扁平な２本以上の綴じ足、同綴じ足どうしを連結して断面向き角度を同時に変化させる変角板とからなる事を特徴とする綴じ具。
【請求項２】
円弧状貫通溝に綴じ足を挿通した変角板を水平方向に移動する事で、綴じ足断面の向きを変化させる事が出来るようにした事を特徴とする請求項１記載の綴じ具。
【請求項３】
綴じ足に嵌合した変角板を上下させる事で、綴じ足断面の向きを変化させる事が出来るようにした事を特徴とする請求項１記載の綴じ具。    
【発明の詳細な説明】
【技術分野】
【０００１】
本発明は紙葉類（オフィス、家庭等に於ける紙、フィルム、等の各種枚葉状の書類、カタログ等）に綴じ穴を設け、綴じ穴に綴じ足を挿通する事で紙葉類を綴じ込む綴じ具に関する。
【背景技術】
【０００２】
従来より、紙葉類のファイルには紙葉類に綴じ穴を開け、ファイルに付属する綴じ具の綴じ足を挿通することで綴じる方法が行われてきた。又、紙葉類に綴じ穴を開けて綴じるファイル方法にも、綴じ枚数がそれほど多くない場合は、所謂フラットファイルと呼ばれる紙製ファイルの裏表紙側に固定された屈曲可能な綴じ足を紙葉類の綴じ穴に挿通し、おもて表紙側に突き出した綴じ足を分離されたレール状の綴じ具の穴に挿通し屈曲させて係止する方法（特許文献１）と、綴じ枚数が多い場合は、屈曲しない綴じ足（多くはパイプ状、金属又はプラスチック製）を綴じ穴に挿通する所謂パイプファイル（特許文献２）と呼ばれるものがありどちらも広く使われてきた。
【特許文献１】特開２００２−１７８６７８
【特許文献２】特開２００６−８２２０４
【発明の開示】
【発明が解決しようとする課題】
【０００３】
しかしながら、従来の綴じ具によるファイルは、中間や下の方にファイルされた紙葉を取り出す時、又は逆に書類を追加したり差し替えたりするときは、その上にある紙葉を一旦ファイルから抜かない限り行う事が出来ず、この作業を頻繁に行うファイルの使い方に於いては、大変面倒な作業であった。即ち、本発明が解決しようとする課題は、紙葉を抜き差しする際、その上にある紙葉を抜かないで行えるようにする事であり、そのための綴じ具を提供する事である。
【課題を解決するための手段】
【０００４】
前記課題を解決する手段として、本発明は、（１）紙葉類の綴じ穴に綴じ足を挿通して
紙葉類を綴じる綴じ具に於いて、上下壁を具えた筐体、前記上下壁に回転可能に連結され
た断面が扁平な２本以上の綴じ足、同綴じ足どうしを連結して断面向き角度を同時に変化させる変角板とからなる事を特徴とする綴じ具とする。
【０００５】
また、本発明は、円弧状貫通溝に綴じ足を挿通した変角板を水平方向に移動する事で、綴じ足断面の向きを変化させる事が出来るようにした事を特徴とする（１）記載の綴じ具とする。
【０００６】
また、本発明は、綴じ足に嵌合した変角板を上下させる事で、綴じ足断面の向きを変化させる事が出来るようにした事を特徴とする（１）記載の綴じ具とする。    
【発明の効果】
【０００７】
発明の効果は次の通りである。上記本発明による綴じ具は後述する裂開溝付き綴じ穴を
有する用紙の裂開溝を抵抗なく綴じ穴にまで到達出来、綴じ穴の中で裂開溝に戻れないように変化させる事が可能であり、この変化を元に戻せば抵抗なく用紙は綴じ具から外す事が出来る。即ち、従来綴じ穴に綴じ足を挿通する事で紙葉類を綴じるファイル方法に於いては、綴じられた積層状態の紙葉類の途中の枚数目で目的の紙葉類を抜いたり、目的の箇所（枚数目）に紙葉を差し込んだりしようとした時は、その上にある紙葉は全て一旦ファイルから取り除かなくてはならなかった。しかし本発明は、ファイルされた積層状態の紙葉のどの箇所（枚数目）からでも、又はどの箇所（枚数目）へもその上にある紙葉は綴じ足に綴じたまま簡単に行えるという画期的な発明効果が得られる。例えば、鉄道、航空業務におけるマニュアルファイルは１冊のファイルに多くの書類がファイルされ、内容変更による差し替えは日常的でかつ大変重要である。本発明によりマニュルの差し替え作業は画期的に簡単になる。即ち、ファイルされた紙葉類順序を入れ替えたり、差し替えたり、加えたり、抜いたりという事を頻繁に行うような使い方には画期的効果を有する。
【０００８】
本発明は、裂開溝付きの綴じ穴を持たない、従来の綴じ穴のみの紙葉とも共用可能な綴じ具とする事も簡単に出来る所も優れた発明である。  
【発明を実施するための最良の形態】
【０００９】
図１〜図７に、本実施形態の理解をし易くするために、綴じ足が裂開溝付き綴じ穴に綴じられるメカニズムの説明を独立した２本の綴じ足を持つ綴じ具で第一実施形態の補助説明を行う。
【００１０】
図１は本補助説明の綴じ具Ｔ１の全体像及びファイルしようとしている裂開溝付き用紙の紙葉Ｐ１を示す斜視図である。プラスチックでコの字状に成型された筐体１に、プラスチック成型された扁平な綴じ足２の上下端が筐体１の上下壁６、７に開けられた軸穴４の中で回転するようにプラスチック成型された綴じ足止め３と接着している。綴じ足２の厚みは紙葉Ｐ１に設けられた綴じ穴１０に綴じ端辺８から綴じ穴１０まで繋がっている裂開溝９の最狭幅部より若干薄く出来ており、綴じ足止め３の矢印が示す方向に厚み面が向いている（２本の綴じ足２の幅方向の広い面どうしが向き合っている）。
【００１１】
図２は紙葉Ｐ１の綴じ穴１０に綴じ具Ｔ１の綴じ足２が、裂開溝９を通って収まった状態を示す斜視図である。図３は綴じ穴１０の中で綴じ具Ｔ１の綴じ足止め３を手で９０度回す事で、綴じ足２の幅方向の向きが変わり、綴じ足２は狭い裂開溝９から出る事は出来ない、即ち紙葉Ｐ１は綴じ具Ｔ１にしっかり綴じられた状態を示す斜視図である。  
【００１２】
図４は図１に於けるＹ１−Ｙ１断面図を示す。図５は図４の状態から綴じ足２を９０度角度を変えた状態、即ち図３に於ける紙葉を除いた状態を示すＹ２−Ｙ２断面図であり、図４、図５に於ける綴じ足の紙葉を綴じる前後の動きを正確に示す。図６、図７は紙葉の積層状態で形成される筒状綴じ穴の中での綴じ足の変化を図４、図５に紙葉積層断面を含
めて示している。以上、本第１の実施形態の補助説明である。この実施形態補助説明に示
す綴じ具Ｔ１の筐体側壁５をパイプファイルに用いるような厚手ファイルの背表紙内側に固着することでファイル形態となる事は言うまでもない。尚、扁平とは、楕円、長方形、菱形などを指し、これらの組み合わされた形状も含んでも同じ目的が達成される事は明らかである。本補助説明では２本の綴じ足間隔は８０ｍｍ、綴じ足は幅４．５ｍｍ、厚み１．０ｍｍの断面が長方形なプスチック棒、用紙は綴じ穴直径６．０ｍｍ、綴じ穴裂開溝最狭幅１．２ｍｍで実施した。
【００１３】
図８〜図１１に本発明の第１実施形態を示す。図８はこの実施形態の綴じ具Ｔ２の全体
像を示す斜視図である。筐体、綴じ足は第一実施形態補助説明使用のものと同じである。綴じ足２１は、筐体上下壁２４、２５の軸穴２７を通して外側から上下綴じ足止め２２で止められている。筐体上壁２４と上綴じ足止め２２の間に綴じ足２１の上端部を円弧溝２８に挿通したプラスチック製の変角板２６を設ける。円弧溝２８は変角板を筐体上壁２４の面に沿って動かすと綴じ足２１の幅方向の向きは円弧溝に沿って変化していくように溝が切られている。即ち、円弧溝２８の両端部に接線を引けば、直交するように溝が作られている。尚、図８では、綴じ足２１の幅方向の向きは筐体側壁２３と直角に向いており、実施形態１の補助説明図１同様に紙葉Ｐ１の裂開溝９を通過出来る状態になっている。
【００１４】
図９は図８から変角板２６を円弧溝２８に沿って手前に引きながら左に寄せた結果の綴じ具Ｔ２の斜視図である。図８の綴じ足の向きが９０度変化しているのが分かる。この作業を紙葉Ｐ１の綴じ穴１０の中で行えば、紙葉Ｐ１は綴じ具Ｔ２に第１の実施形態補助説明同様に綴じられる事が分かる。図１０は図８から図９になるこの間の綴じ具Ｔ２の変角板２６と綴じ足２１の角度の変化を平面及び断面で示したものである。図１０ａは図８の、図１０ｂは図９の平面図であり、図１０ｃは図８のＹ３−Ｙ３、図１０ｄは図９のＹ４−Ｙ４断面図である。図１０ａと図１０ｃ、図１０ｂと図１０ｄが対応している。変角板２６を円弧溝２８に沿って動かす事で綴じ足２１の向き角度が９０度直角に変化する事が分かる。第１実施形態では、あえて紙葉を図面に記さず、綴じ足２１をどうやって変角板２６で９０度変角するかを分かりやすくした。紙葉Ｐ１を綴じ足で綴じ終わる様子は第１実施形態の補助説明と全く同じである事が理解できよう。
【００１５】
図１１は変角板の円弧溝の配置の違いを示すものである。図１１ａは本第１実施形態の
円弧溝である。但し、円弧の両端接線は直角である。図１１ｂは円弧溝に挿通される部分に綴じ足を実質紙葉を綴じる部分の綴じ足と４５度角度を変えてある場合に適用する。図１１ｂは、変角板としての動きが少なくて済むメリットがある。
【００１６】
以上、変角板を用いると、綴じ足が何本あっても変角板を一度動かすだけで全ての綴じ足の向き角度を一瞬で９０度直角に変角する事ができ大変便利である。円弧溝は必ずしも完全な円弧でなくても良いが、両端部での接線は直交するようにしておくと、円弧溝を水平面に動かして綴じ足が溝の端から端まで移動したように見えれば、綴じ足は９０度向きを変化させる。尚、本実施形態では、変角板２６はプラスチックの板（０．５ｍｍ）であり、円弧はＲ＝１５ｍｍ、溝幅１．５ｍｍで実施した。         
【００１７】
図１２〜図１６に、本発明の第２実施形態を示す。この内、図１２〜図１４までは、本
実施形態の理解を促すための原理イメージ図であり、１本の綴じ足の動きに焦点を当てており実施形態そのものではない。図１２は綴じ足４１の上端部がそれより下の部分と比べて、プロペラ状に９０度捻れたもである事を示している。綴じ足の９０度の捻りは連続的であり、どの断面も同じ厚みで出来ている。綴じ足上端には綴じ足断面に丁度収まる大きさの変角板抜き穴４３を持った変角板４２が嵌合されている。綴じ足４１の捻り部４６より下側で実質の綴じ足部の幅方向の向きは紙葉Ｐ２の綴じ穴４５に繋がっている綴じ穴裂開溝４４を通過出来る向きである事を示している。
【００１８】
図１３は図１２の状態の綴じ足４１が紙葉Ｐ２の綴じ穴４５に、裂開溝４４を通って収まった状態を示している。図１４は図１３の状態から変角板４２を左右に曲げずに下方向に綴じ足４１のプロペラ状の捻り部４６の下まで通過させ、それにより綴じ足４１の向き角度が９０度変角し、綴じ穴４５にある綴じ足４１は綴じ穴４５から出られない状態を示
している。これで紙葉Ｐ２は綴じ足４１に綴じられた。これが本第２実施形態の基本を成
すものである。
【００１９】
図１５は筐体５１にプロペラ状の綴じ足５２、変角板５３を図１２〜図１４に示した原理で組み込んだ綴じ具Ｔ３の全体を示す斜視図である。図１５では変角板５３は筐体上壁５４の下、綴じ足５２のプロペラ状の捻り部より上に抜き穴５９に綴じ足５２を挿通して位置しており、綴じ足５２の捻り部より下の実質的な綴じ足部の向き角度は紙葉類の綴じ穴裂開溝を通過出来る向きである。綴じ足５２は筐体上下壁５４、５６に設けられた軸穴５７から外側に出た所で、綴じ足止め５８により抜けないように止められている。
【００２０】
図１６は図１５の状態から、変角板５３を綴じ足５２の捻り部より下まで押し下げ、綴じ足５２の向き角度が９０度直角に変角した状態を示している。図１５、図１６では変角板５３の上下への動きが、いかに綴じ足５２の向き角度を９０度変角するかが良く分かるように、あえて紙葉を省略しているが、変角板５３を綴じ足５２の捻り部を上下させる事で紙葉を綴じたり、解放したりのメカニズムは第１の実施形態と同じで有り、綴じ足の角度を変角する方法の違いである事が分かる。また、本実施形態では変角板５３を綴じ足５２の捻り部を通過して押し下げると、綴じ足５２の向き角度を９０度変角するとともに、綴じた紙葉類のバタツキを押さえる押さえ版の機能を持たせる事も可能であり、大変便利である。尚、本第２の実施形態では綴じ足の捻り部及び変角板５３は筐体上壁５４の直下に配置したが、筐体上壁５４の外側に配置も可能である事は明らかである。また、変角板の上下運動による綴じ足の回転作用は、変角板と綴じ足が嵌合した中で生ずる全ての方法を含む。
【００２１】
以上、実施形態に示した通り、本発明は綴じ穴裂開溝を設けた紙葉の綴じ穴裂開溝から綴じ足になるものを綴じ穴裂開溝の最狭幅部より狭い状態で綴じ穴に導き、綴じ穴の中で綴じ穴から出られないように綴じ足の向き角度を綴じ足が何本あっても変角板を１回動かすだけで全ての綴じ足の向き角度を同時に変えて、綴じ穴から出られないように出来、そして大事な事は元の状態に綴じ足を戻すと綴じ足及び綴じ足心棒は綴じ穴裂開溝を通る事が出来、紙葉を抜く事が出来る。この発明によれば、数多くの紙葉が綴じられていても、如何なる枚数目からでも紙葉を抜いたり、差し込んだりが簡単に出来る事になる。多くの書類をファイルした状態で、マニュアルの差し替えなど頻繁に起こる仕事では、特に効果が高い綴じ具及びファイルが提供可能となる事が分かるであろう。また、本実施形態では示さなかったが、従来方式の裂開溝を有しない綴じ穴の用紙でも、本発明による裂開溝付き用紙でもどちらも綴じるような仕様は簡単に出来る事も明白である。
【図面の簡単な説明】
【００２２】
【図１】第１実施形態の補助説明綴じ具Ｔ１の斜視図
【図２】綴じ足が紙葉Ｐ１の綴じ穴に入った斜視図
【図３】綴じ穴の中で綴じ足が９０度向きを変えた斜視図
【図４】図２に於けるＹ１−Ｙ１断面図（但し紙葉Ｐ１は省略）
【図５】図３に於けるＹ２−Ｙ２断面図（但し紙葉Ｐ１は省略）
【図６】図４で、紙葉集積体がＰ１の代わりにある断面図
【図７】図５で、紙葉集積体がＰ１の代わりにある断面図
【図８】第１実施形態の綴じ具Ｔ２の斜視図
【図９】変角板を左手前に引いて綴じ足向き角度を９０度変角した斜視図
【図１０】図１０ａ、図１０ｂは変角板の動きを示す平面図。図１０ｃ、図１０ｄは図８、図９のＹ３−Ｙ３及びＹ４−Ｙ４断面図で変角板の動きと綴じ足の変化を示す
【図１１】変角板の円弧溝を示す平面図
【図１２】第２実施形態のメカニズム説明斜視図１
【図１３】第２実施形態のメカニズム説明斜視図２
【図１４】第２実施形態のメカニズム説明斜視図３
【図１５】第２実施形態の綴じ具Ｔ３の斜視図
【図１６】変角板を下げて綴じ足の向きを９０度変角した斜視図（紙葉省略）
【符号の説明】
【００２３】
Ｔ１、Ｔ２、Ｔ３                  綴じ具
Ｐ１、Ｐ２、Ｐ３                  紙葉
１、２０、５１                    筐体
２、２１、４１、５２、            綴じ足
３、５８                          綴じ足止め
４、２７、５７                    軸穴
５〜７、２３〜２５、５４〜５６    筐体壁
８                        （紙葉）綴じ端辺
９、４４                  （紙葉）裂開溝
１０、４５                （紙葉）綴じ穴
２６、４２、５３                  変角板
２８、３０                        円弧溝
【要約】      （修正有）【課題】紙葉類の綴じ穴に綴じ足を挿通してファイルする、所謂フラットファイルやパイプファイルは、紙葉類の途中にある紙葉を抜いたり、途中に新たに紙葉を差し込んだりしようとする時は、その上にある紙葉を一旦ファイルから抜かない限り行うことが出来ず、ファイルの中身を頻繁に差し替えたりするには大変面倒であった。【解決手段】紙葉Ｐの綴じ穴１０から綴じ端辺側に、綴じ穴直径より十分狭い裂開溝９を設けた紙葉の裂開溝から、綴じ穴直径より若干狭い幅と裂開溝幅と同等以下の厚みをした綴じ足２を綴じ穴に差し込み、綴じ穴の中で綴じ足の向き角度を９０度変角して、綴じ足が綴じ穴を出る事が出来ないようにする事で、紙葉を綴じる綴じ具及びファイルとする。【選択図】図１【図１】
0004333849.tif 000002
【図２】
0004333849.tif 000003
【図３】
0004333849.tif 000004
【図４】
0004333849.tif 000005
【図５】
0004333849.tif 000006
【図６】
0004333849.tif 000007
【図７】
0004333849.tif 000008
【図８】
0004333849.tif 000009
【図９】
0004333849.tif 000010
【図１０】
0004333849.tif 000011
【図１１】
0004333849.tif 000012
【図１２】
0004333849.tif 000013
【図１３】
0004333849.tif 000014
【図１４】
0004333849.tif 000015
【図１５】
0004333849.tif 000016
【図１６】
0004333849.tif 000017